【事件の表示】
　平成　７年特許願第　１８６８４号「弾球遊技機」拒絶査定不服審判事件〔平成　８年　７月２３日出願公開、特開平　８−１８７３４４〕について、次のとおり審決する。
【結　論】
　本件審判の請求は、成り立たない。
【理　由】
第一、手続きの経緯
　本願は、平成７年１月１０日の出願であって、平成１５年６月１０日付けで拒絶理由が通知され、これに対し、同年８月１１日付けで手続補正がなされ、同年１０月９日付で拒絶査定がなされ、これに対し、同年１１月２７日に拒絶査定に対する審判請求がなされるとともに、同年１２月２２日付け手続補正によって明細書の一部が補正されたものである。
　
第二、平成１５年１２月２２日付けの手続補正についての補正却下の決定
［補正却下の決定の結論］
　平成１５年１２月２２日付けの手続き補正を却下する。
［理由］
　（１）補正後の本願発明
　本件補正により、特許請求の範囲の請求項１は、
　「遊技盤が固定される前面枠を機枠の前面に取付けた枠台と、前記前面枠の一側に該前面枠の前面を覆うよう開閉可能に軸支されるガラス板保持枠とを有し、前記ガラス板保持枠には装飾用の蛍光管等を装着した弾球遊技機であって、前記ガラス板保持枠の裏面に前記蛍光管等から引き出される接続線のコネクタを該ガラス板保持枠の裏面に形成された凹窪部底面の開口に臨むようにして配置し、一方前記前面枠に配線引き出し孔を開設し、前記枠台裏側の制御基板から引き出される接続線を前記配線引き出し孔を介して前記前面枠の前側へ引き出すと共にその先端のコネクタを前記ガラス板保持枠側のコネクタに継ぎ、また、前記前面枠裏面の配線引き出し孔の近傍には常に前記接続線を前記前面枠の裏側へ付勢するうず巻きバネを取着したことを特徴とする弾球遊技機。」と補正された。
　
　上記補正は
　補正前（平成１５年８月１１日付け手続補正により補正された特許請求の範囲）の請求項１に記載された発明を特定するために必要な事項である「接続線のコネクタを配置し」を「接続線のコネクタを該ガラス板保持枠の裏面に形成された凹窪部底面の開口に臨むようにして配置し」に限定し、また「制御基板などから引き出される接続線」を「制御基板から引き出される接続線」に補正するものであるから、本件補正は、特許法第１７条の２第３項第２号の特許請求の範囲の減縮を目的とするものに該当する。
　
　（２）そこで、本件補正後の前記請求項１に記載された発明（以下、「本願補正発明」という）が特許出願の際独立して特許を受けることができるものであるのか（平成６年改正前特許法第１７条の２第４項において準用する同法第１２６条第３項の規定に適合するか）について以下に検討する。
　
　（あ）刊行物に記載された発明
刊行物１；特開平６−６３２３３号公報
刊行物２；特開平５−４９７３７号公報
刊行物３；特公平６−７１４９４号公報
刊行物４；実公昭５６−３７７５０号公報
刊行物５；実公平１−３２４００号公報
刊行物６；実公昭５３−４３５１４号公報
　
　原査定の拒絶理由通知に引用された、特開平６−６３２３３号公報（以下、「引用刊行物１」という）には、以下の事項の記載がある。
　「【０００６】
【作用】本発明の弾球遊技機では、遊技時に、透明板の周囲に設けられた蛍光管が発光するために、遊技領域の周囲がカバー部材によって明るく縁取られて装飾される。
【０００７】
【実施例】以下本発明の弾球遊技機の一例のパチンコ遊技機を、図面を参照して詳細に説明する。なお、本発明の弾球遊技機は、パチンコ遊技機に限らず、・・・また、以下の実施例では通常のパチンコ遊技機を実施例として説明するが、・・・　
【０００８】図１を参照して、本発明の一実施例のパチンコ遊技機１は、機枠２と、機枠２に対して前面枠回動軸６ａ、６ｂによって回動可能に取付けられた前面枠３と、前面枠３に対して、前面枠３の軸取付け板３８と、ガラス保持枠回動軸１７ａ、１７ｂによって規定される回動軸を中心に回動可能に取付けられた開閉枠の一例のガラス保持枠１３と、前面枠３に対して、軸取付け板３８、前面板回動軸１２ａ、１２ｂにより、前面板回動軸１２ａ、１２ｂによって規定される回動軸を中心として回動可能に取付けられた前面板７とを含む。」
　「【００１１】図１および図２を参照して、ガラス保持枠１３の中央の開口部は、前面枠３に取付けられた遊技盤１８の遊技領域を遊技者に対して露呈するような位置となっている。この開口部には、複層ガラス１９が、周枠２０および半透明の蛍光管収納枠１４を介して取付けられている。蛍光管収納枠１４内には、開口部を囲うように、各々Ｌ字型をした蛍光管１５ａ〜１５ｄが着脱可能に取付けられており、蛍光管収納枠１４は装飾カバー部材としての機能を果たす。
【００１２】図５は、ガラス保持枠１３の裏面図である。図２および図５を参照して、蛍光管収納枠１４は、ビス穴１４ｂが多数形成された、ガラス保持枠１３への取付部１４ａを有し、さらに、蛍光管１５ａ〜１５ｄを支持するための取付部１４ａに固定された薄い鋼板などから形成される弾性のある蛍光管支持部材２４を含む。・・・各蛍光管１５ａ〜１５ｄはそれぞれ接続線２５およびコネクタ２６で接続されており、蛍光管１５ａおよび１５ｄの一端からはそれぞれ接続線２５が引出されて図２に示されるように前面枠３に形成された配線引出し孔２７を介して図示されない変圧器に接続されている。」　
　「【００１８】このように遊技盤１８の周囲に蛍光管１５ａ〜１５ｄを配し、さらに各蛍光管１５ａ〜１５ｄをカバーするように、装飾カバー部材である半透明の蛍光管収納枠１４を設けることにより、遊技時、遊技盤１８の周囲を明るく照明することができ、遊技盤１８を見やすくすることができる。さらに、遊技盤１８の周囲を装飾カバー部材である蛍光管収納枠１４で点灯装飾することができ、遊技者の注意を遊技盤１８に引きつけることができ、遊技の興趣をより高めることができるという効果がある。」　
　「【００２１】図３は、前面枠３の裏面図である。図３を参照して、前面枠３の中央の、遊技盤１８が嵌め込まれる開口部周囲には、遊技盤１８を固定するための遊技盤保持部材４５が設けられている。・・・遊技盤１８の配線引出し孔２７から引出された接続線２５は、機枠２の底部に設けられた変圧器４４に接続されている。この様に接続線２５を支軸側から引き出しているために、接続線の長さを短くでき、またガラス保持枠１３等の開閉にともなって接続線の動く範囲も狭くなり、開閉の際に接続線を枠にはさんだりする恐れもなく、断線等の不都合も極力防止できる。
【００２２】図４は、機枠２への前面枠３の取付方法、および前面枠３へのガラス保持枠１３および前面板７の取付方法を示す模式図である。図４を参照して、機枠２の図示左側上部には軸取付板４２が設けられ、軸取付板４２から機枠２の前方側に突出して形成された部材の上面に前面枠３を回動させるための前面枠回動軸６ａが形成されている。同様に機枠２の左側下部にも軸取付板４３が取付けられ、その先端部分には前面枠３を支持して回動させるための前面枠回動軸６ｂが設けられている。
【００２３】前面枠３の上辺の、図示左端には、機枠２の前面枠回動軸６ａが挿入される軸受孔３９ａを有する軸受板４０が取付けられている。軸受板４０の下部の前面枠３は表面側に突き出しており、その下部にはガラス保持枠１３の回動軸となるガラス保持枠回動軸１７ａが挿入される軸受溝３４ａが形成されている。
【００２４】前面枠３の、ガラス保持枠１３の下辺に対応する部分には軸取付板３８が固定されており、軸取付板３８から前面側に突き出した部材の上下に、それぞれガラス保持枠１３および前面板７に形成された軸受溝３４ｂ、３５ａに挿入されるガラス保持枠回動軸１７ａと前面板回動軸１２ａとが形成されている。」
　「【００２８】このように前面枠３を機枠２に回動可能に取付け、さらに前面枠３の前面にガラス保持枠１３と前面板７とを回動可能に取付けた。・・・」　
　「【００３０】また、蛍光管をガラス保持枠１３あるいは蛍光管収納枠１４に着脱可能に取付けるための構造としては、上述の実施例のみには限定されない。・・・」
　
　また、弾球遊技機の一実施例であるパチンコ遊技機の全体正面図である【図１】及び前面枠および前面板を開放した場合の形態を示す斜視正面図である【図２】並びに取付方法を示す模式的斜視図である【図４】には、「前面枠３を前面に取付けた機枠２と、前記前面枠３の左側に該前面枠３の前面を覆うよう開放可能に軸支されるガラス保持枠１３」の事項が、さらに、前面枠３の全体裏面図である【図３】には、「前面枠３の裏側に配置された変圧器４４」の事項が、示されている。
　
　したがって、上記の事項をまとめると、引用刊行物１には、
「遊技盤１８が固定される前面枠３を前面に取付けた機枠２と、前記前面枠３の左側に該前面枠３の前面を覆うよう開放回動可能に軸支されるガラス保持枠１３とを有し、前記ガラス保持枠１３には装飾用の蛍光管１５ａ〜１５ｄを取付けた弾球遊技機であって、
　前記前面枠３に配線引出し孔２７を形成し、蛍光管１５ａおよび１５ｄの一端からはそれぞれ接続線２５が引出されて前記配線引出し孔２７を介し、前面枠３の裏側で機枠２の底部に設けられた変圧器４４に接続されている、弾球遊技機」の発明（以下、「引用発明１」という）が記載されていると認められる。
　
　原査定の拒絶理由通知に引用された、特開平５−４９７３７号公報（以下、「引用刊行物２」という）には、以下の記載がある。
　「（５７）【要約】
【目的】  パチンコ機に設けた基板の前後に配設する電気部品と制御装置とをリード線を引き回すことなく接続できる作業性の高いパチンコ機を提供する。
【構成】  遊技盤載置台９の背面側の制御装置から延びるリード線２３の先端に掛止腕３２及び掛止片３４ａを有する第１部材２６を繋ぐと共に、前面側のスピーカユニット１２から延びるリード線２３の先端に掛止杆３７ａを有する第２部材２７を繋ぎ、遊技盤載置台９の取付口２９に装着した第１部材２６に第２部材２７を止着してスピーカユニット１２と制御装置とを導通させる。」　
　「【０００１】
【産業上の利用分野】この発明は、パチンコ機の配線処理構造に関し、特に、パチンコ機に設けた基板の前後に配置する各種電気部品と当該電気部品を制御する制御装置とを接続する配線処理構造に関する。」　
　「【０００６】
【実施例】以下、本発明を図面の実施例について説明すると、図１はパチンコ機１の概略正面図であって、窓部を有して額縁状の前枠２の一側を外枠３に開閉可能に蝶着し、上記窓部には金枠４を設け、該金枠４の上方部分にはガラスを装着したガラス枠５を開閉可能に軸着し、上記外枠３及びガラス枠５を施錠装置６で施錠する。また、ガラス枠５の下方部分には、この図においては取り外してあるが、上皿を設けたフロントプレート等からなる上皿セットを開閉可能に設ける。更に、前枠２の下方部分には下皿７を設けた下皿セット８を設ける。尚、上記上皿セットの裏面側に位置するように遊技盤載置台９を配設し、この遊技盤載置台９には、上皿から打球発射装置１０へ球を一個宛に供給する球送り装置１１やスピーカユニット１２を配設する。・・・
【０００７】上記遊技盤載置台９は、前枠２の背面側に設けるリヤプレート（図示せず）の下端部分に位置して遊技盤１４の下縁を支える部材であり、前記リヤプレートとの間には、後述するリード線２３等を収納できる空間を有している。・・・」　
　「【００１０】そこで、本発明は、パチンコ機１の前面側に配設する電気部品から延びるリード線２３を、パチンコ機１において前面側と背面側とを隔てる基板２４を通過させる際に、当該基板２４に装着部２５を形成し、この装着部２５に装着可能な第１部材２６と、該第１部材２６に着脱自在に止着する第２部材２７とからなる中継手段２８を介在させるようにした。
【００１１】以下、本発明を電気部品であるスピーカユニット１２のリード線２３に適用した場合について説明すると、上記中継手段２８は、基板２４としての遊技盤載置台９に装着する第１部材２６と、この第１部材２６に着脱自在に止着する第２部材２７とからなる。
【００１２】中継手段２８の第１部材２６は、遊技盤載置台９に装着部２５として開設した取付口２９に挿入するためのほゞ角柱状の挿入基部３０と、この挿入基部３０から装着手段３１として弾性変形可能に延出して上記取付口２９の縁に掛止可能な一対の掛止腕３２と、挿入基部３０の後端に延在する掛止鍔部３３と、挿入基部３０の前端に第１係脱手段３４として突出する掛止片３４ａとを有している。
【００１３】一方、第２部材２７は、上記挿入基部３０を受け入れる有底状の嵌入部３５を有し、該嵌入部３５の外側部には止着状態にある第１部材２６の掛止腕３２を逃がすための切欠部３６を設けると共に、上面部に上記第１部材２６の第１係脱手段３４に対応する第２係脱手段３７を設ける。・・・
【００１４】上記のような構成の中継手段２８を用いてスピーカユニット１２の配線処理を行うには、遊技盤載置台９の背面側に配設した制御装置から延びるリード線２３の先端に第１部材２６を繋ぎ、この第１部材２６を遊技盤載置台９の取付口２９に挿入して掛止腕３２を変形させて取付口２９を通過させると共に、掛止鍔部３３を取付口２９の縁に係止させる。そして、装着の完了した第１部材２６に、スピーカユニット１２から延びるリード線２３の先端に繋いだ第２部材２７を、第１係脱手段３４及び第２係脱手段３７を利用して止着する。・・・」　
　「【００１６】次に、図５及び図６は他の実施例を示すパチンコ機１の概略正面図であって、図１に示したパチンコ機１では省略した上皿セット４０を示している。この上皿セット４０は、一側を金枠４に蝶着した開閉パネル４１の前面に球を貯留する上皿４２を設けて構成してあり、・・・」　
　「【００２２】図７は更に他の実施例を示すパチンコ機１の概略斜視図であって、上記第２の実施例と同様に構成したパチンコ機１において、上皿セット４０の開閉パネル４１を基板２４として、これに第１部材２６を装着し、スピーカユニット１２や各種の表示器４８…から延びるリード線２３を上皿本体４２ａ内に形成した空間部分に収める。一方、遊技盤載置台９の裏面側に配設した制御装置から延びるリード線２３に第２部材２７を繋ぎ、遊技盤載置台９に開設した配線通過口５０に通して遊技盤載置台９の前面側に延在させてある。即ち、上記した第２の実施例とは基板２４の採り方が異ると共に中継手段２８の第１部材２６と第２部材２７の配置が逆になっており、言わば電気部品側を中継手段２８の固定側に構成している。
【００２３】このように構成しても、中継手段２８を介して基板２４の前後に配置する電気部品と制御装置を作業性よく接続することができる。」　
　「【００２６】
【発明の効果】以上要するに本発明は、パチンコ機に設けた基板の前面側と背面側とに位置する電気部品と当該電気部品を制御する制御装置とを、第１部材と該第１部材に止着する第２部材とからなる中継手段を介して接続するようにしたので、組立時の配線接続作業が容易となり、作業性が向上する。また、電気部品が壊れたときには、長いリード線を引き回すことなく電気部品のみを交換すればよく、パチンコ機の前面側から全ての作業が可能になり、作業が容易となって作業時間の短縮等が可能である。更に、電気部品に接続したリード線が短いので、配線処理作業が容易になるばかりではなく、リード線が引っ張られたり、引っ掛かることもないので、断線等の危険が減少し、リード線が球詰まり等の不具合の原因になることもなく、実用的価値の高いパチンコ機を提供する。」　
　
　また、更に他の実施例を示すパチンコ機の概略斜視図である【図７】には、「前枠２の左側に開閉可能に取り付けられた、ガラス枠５及び開閉パネル４１」、「開閉パネル４１の裏面に第１部材２６を配置」、「開閉パネル４１」の事項が示されている。
　
　したがって、【図７】に示された更に他の実施例であるパチンコ機１についての記載をまとめると、引用刊行物２には、
「遊技盤１４と、窓部に金枠４を設けた額縁状の前枠２の一側を開閉可能に蝶着した外枠３と、該前枠２の左側に開閉可能に軸着したガラス枠５と、左側を該前枠２に蝶着した開閉パネル４１と、該開閉パネル４１の背面側に位置して遊技盤１４の下縁を支える遊技盤載置台９とを有し、前記開閉パネル４１の前後に配置するスピーカユニット１２や各種の表示器４８…とこれらの電気部品を制御する制御装置とを接続するパチンコ機１であって、
　前記開閉パネル４１の裏面に前記スピーカユニット１２や各種の表示器４８…から延びるリード線２３の先端の第１部材２６を開閉パネル４１の裏面に開設した取付口２９に装着し、
　一方前記遊技盤載置台９に配線通過口５０を開設し、前記遊技盤載置台９の裏面側に配設した制御装置から延びるリード線２３を前記配線通過口５０に通して遊技盤載置台９の前面側に延在させると共にその先端の第２部材２７を、前記開閉パネル４１に開設した取付口２９に装着した第１部材２６に止着することにより、
　パチンコ機の前面側から全ての作業が可能になり、作業が容易となって作業時間の短縮等が可能である、パチンコ機１」の発明（以下、「引用発明２」という）が記載されていると認められる。
　
　本願出願前に頒布された、特公平６−７１４９４号公報（以下、「引用刊行物３」という）には、以下の記載がある。
　第３頁第６欄第３５行乃至第３９行には「そして、このコネクタ板（２２）は、前述したように、そのコネクタ（２２ａ）を開口（１１ａ）内に収納した状態で遊技盤（１１）の背面側の所定位置に配置されて、その周縁部にて遊技盤（１１）に固定されるようになっている。」と、　
　第４頁第７欄第４行乃至第３１行には「（発明の効果）
以上要するに、本発明においては、上記実施例にて例示したごとく、遊技盤（１１）に形成した開口（１１ａ）へ前面側から挿入し固定される取付物内に配置されたで電気部分を遊技盤の背面側に配置された制御部と結線するようにしたパチンコ機において、
制御部からの導線（２３）が連結される一方のコネクタ（２２ａ）を備えたコネクタ板（２２）を遊技盤（１１）の開口（１１ａ）に背面側に固定して一方のコネクタ（２２ａ）を開口（１１ａ）内に臨ませるとともに、
前記取付物内の電気部品からの導線を取付物の背面側に設けた他方のコネクタ（２１）に連結して、
これら取付物側及びコネクタ板（２２）側の両コネクタ（２１）（２２ａ）を互いに接続するようにしたことにその特徴があり、・・・
そして、本発明に係る結線構造によれば、例えば特に電気部品のメンテナンス完了後において、基板（３１）を遊技盤（１１）にあらためて固定するに際しコネクタ板（２２）を遊技盤（１１）に固定したままの状態にしておくことができるので、いわば位置決めされた状態のままであるこのコネクタ板（２２）に基板（３１）側のコネクタ（２１）を単に接続させるのみで当該基板（３１）の遊技盤（１１）に対する位置決めを行なうことができ、・・・」と、それぞれ記載されている。　
　　
　したがって、引用刊行物３には、
「前面側から挿入し固定される取付物内に配置された電気部分を遊技盤の背面側に配置された制御部と結線するようにしたパチンコ機において、
一方のコネクタ（２２ａ）を備えたコネクタ板（２２）を遊技盤（１１）の開口（１１ａ）の背面側に固定して一方のコネクタ（２２ａ）を開口（１１ａ）内に収納した状態で臨ませるとともに、前記取付物内の電気部品からの導線を取付物の背面側に設けた他方のコネクタ（２１）に連結して、両コネクタ（２１）（２２ａ）を互いに接続するようにした、パチンコ機の結線構造」の発明（以下、「引用発明３」という）が記載されていると認められる。
　
　本願出願前に頒布された、実公昭５６−３７７５０号公報（以下、「引用刊行物４」という）には、以下の記載がある。
　第２頁第３欄第１２行乃至第２３行には「パチンコ機の遊技盤１の裏面に取り付ける硬質合成樹脂製裏側枠２は被覆板３の周囲に壁部４を設けて・・・遊技盤１の裏面にあてがつてネジ、留具などで固定するのである。
　・・・上記した被覆板３の適宜な位置には窓孔６を開設し、窓孔６の全周縁又は一部周縁に裏側枠２の内部に向う保護壁７を設ける。」と、　
　第２頁第４欄第２行乃至第２５行には「一方、遊技盤１の裏面には窓孔６が臨む位置に支持台１０を設けて多極の雌型コネクタ１１を取り付け、該コネクタ１１に遊技盤裏面に設けた電気部品のリード線１２・・・・・・を接続する。そして雌型コネクタ１１に差し込む多極の雄型コネクタ１３にはリード線１２・・・・・・に接続されて電源や各種機構に連結するリード線１４・・・・・・を接続する。
　このように本案によればあらかじめ遊技盤裏面の各種電気部品とコネクタ１１とをリード線１２・・・・・・で連結しておけば、窓孔６にコネクタ１１が臨むようにして裏側枠２を遊技盤面に固定するとともに、コネクタ１３を嵌め付けるだけで配線することができる。・・・窓孔６の周囲の部又は一部が保護壁７で覆われているので・・・」と、それぞれ記載されている。　
　
　したがって、引用刊行物４には、
「被覆板３の適宜な位置には窓孔６を開設し、窓孔６の全周縁を保護壁７で覆い、遊技盤１の裏面には窓孔６が臨む位置に支持台１０を設けて多極の雌型コネクタ１１を取り付け、雌型コネクタ１１に多極の雄型コネクタ１３を差し込むパチンコ機」の発明（以下、「引用発明４」という）が記載されていると認められる。
　
　本願出願前に頒布された、実公平１−３２４００号公報（以下、「引用刊行物５」という）には、以下の記載がある。
　第２頁第３欄第１１行乃至第４欄第１８行には「すなわち、前記第１の筐体１内において、第２図および第３図に示すように、前記電源コード５の一部に例えば真鍮製リングで形成されるストツパ６が圧潰等にて固設されており、一方、筐体１の底部から起立する支持柱７の頂面には、先端が前記ストツパ６の上面に係合してそれを常時下方に付勢する板ばね９がねじ８により固定されている。したがつて、前記ストツパ６と板ばね９とが共働して常時電源コード５を第１の筐体１内に引き込むように付勢し、両筐体１，２の開閉に伴つて跨設部における電源コード５の弛みを防止している。・・・
　なお、上記実施例では弾性手段に板ばね９を用いた場合を説明したが、必ずしも板ばね９である必要はなく、例えば第４図に示すように、前記ストツパ６と筐体１の上面パネル１０との間に圧縮ばね９ａを縮設してもよく、あるいは、第５図に示すように、前記ストツパ６の下部と筐体１の底部との間に引張りばね９ｂを張設しても、同様の効果が得られる。
　・・・互いに開閉可能に連結される電気機器の筐体から他方の電気機器の筐体に導かれる電源コードを、遊びを持たせて両筐体間に跨設させ、いずれか一方の筐体内における電源コードにストツパを固設するとともに、このストツパを介して電源コードを常時筐体内へ引込むように付勢する弾性手段を設けてあるため、両筐体の開閉動作に伴つて跨設部における電源コードの弛みを防止することができ、・・・」と、記載されている。　
　　
　したがって、引用刊行物５には、
「電源コードを常時筐体内へ引込むように付勢する板ばね９、圧縮ばね９ａ、引張りばね９ｂなどの弾性手段を設けた、両筐体の開閉動作に伴う跨設部における電源コードの弛みを防止する手段」の発明（以下、「引用発明５」という）が記載されていると認められる。
　
　本願出願前に頒布された、実公昭５３−４３５１４号公報（以下、「引用刊行物６」という）には、以下の記載がある。
　第１頁第１欄第２８行乃至第３０行には「本考案は、結合部を軸として開閉される本体部分と蓋部分の如き二点間の距離が変化するものの間を電気的に接続するための配線装置に関する。」と、　
　第１頁第２欄第１７行乃至第１９行には「４は蓋２側に設けられた時計であつて本体１側に設けられた電源接続端子５との間にリード線６が接続されて、電源が供給される。」と、　
　第２頁第３欄第１行乃至第１９行には「第２図の状態から、蓋２を開くと、第２のクランプ部材９によつてリード線６が引張られ、従つて第３図に示すように、スプリング７が伸びて第１のクランプ部材８もリード線６と共に引張られて移動する。第３図は蓋２が開かれた状態での本考案装置の要部を示したものである。逆に、第３図の状態から蓋２を閉じると、スプリング７の収縮によつて第２図に示す状態へ復帰する。
　このように本考案によれば、蓋２が開かれたときにはスプリング７を引き伸ばし、蓋２が閉じられたときにはスプリング７を収縮させるように、スプリングの伸張、収縮作用をたくみに利用してリード線６のたるみを吸収するようにしたので、蓋２の開閉にかかわらず、本体１側と蓋２側とのわたり部分のリード線の形状を常に一定に保持することができ、リード線の屈曲、本体と蓋との間へのはさみ込み等がなくなり、断線その他のトラブルの発生を防止することのできる実用上の効果の大きな配線装置が提供される。」と、それぞれ記載されている。　
　　　
　したがって、引用刊行物６には、
「蓋２を開くとリード線６が引張られスプリング７が伸び、逆に、蓋２を閉じるとスプリング７を収縮させ、スプリングの伸張、収縮作用を利用してリード線６のたるみを吸収するようにした、結合部を軸として開閉される本体１部分と蓋２部分の間を電気的に接続するための配線装置」の発明（以下、「引用発明６」という）が記載されていると認められる。
　
　（い）本願補正発明と引用発明１との比較・検討
　（い−１）引用発明１の「遊技盤１８」は、本願補正発明の「遊技盤」に対応し、以下同様に、「前面枠３」は「前面枠」に、「機枠２」は「機枠」に、「前面枠３及び機枠２」は「枠台」に、「左側」は「一側」に、「開放回動可能」は「開閉可能」に、「ガラス保持枠１３」は「ガラス板保持枠」に、「蛍光管１５ａ〜１５ｄ」は「蛍光管等」に、「取付けた」は「装着した」に、「弾球遊技機」は「弾球遊技機」に、「配線引出し孔２７」は「配線引き出し孔」に、「形成」は「開設」に、それぞれ対応する。
　（い−２）引用発明１の「変圧器４４」は、「蛍光管等」の機能発揮に要する部材であり、同様に本願補正発明において、「蛍光管等」の機能発揮に要する部材である「制御基板」については、その機能等の具体的構成に関する記載は認められないものであるから、引用発明１の「変圧器４４」は本願補正発明の「制御基板」に対応する。
　（い−３）引用発明１の「前面枠３に配線引出し孔２７を形成し、蛍光管１５ａおよび１５ｄの一端からはそれぞれ接続線２５が引出されて前記配線引出し孔２７を介し、前面枠３の裏側で機枠２の底部に設けられた変圧器４４に接続」の技術事項と、本願補正発明の「ガラス板保持枠の裏面に前記蛍光管等から引き出される接続線のコネクタを該ガラス板保持枠の裏面に形成された凹窪部底面の開口に臨むようにして配置し、一方前記前面枠に配線引き出し孔を開設し、前記枠台裏側の制御基板から引き出される接続線を前記配線引き出し孔を介して前記前面枠の前側へ引き出すと共にその先端のコネクタを前記ガラス板保持枠側のコネクタに継ぎ」の技術事項とは、両者共に、蛍光管等と制御基板を接続する電気的接続の構成に関するものであるから、前記「（い−１）及び（い−２）」の対応関係を勘案すると、両者は、
  「ガラス板保持枠の裏面に蛍光管等から引き出される接続線を、前面枠に開設した配線引き出し孔を介して枠台裏側の制御基板に接続する電気的配線処理構造」で共通する。
　
　そうすると、両者の一致点及び相違点は次のとおりである。
　
　一致点
　遊技盤が固定される前面枠を機枠の前面に取付けた枠台と、前記前面枠の一側に該前面枠の前面を覆うよう開閉可能に軸支されるガラス板保持枠とを有し、前記ガラス板保持枠には装飾用の蛍光管等を装着した弾球遊技機であって、前記ガラス板保持枠の裏面に前記蛍光管等から引き出される接続線を、前記前面枠に開設した配線引き出し孔を介して枠台裏側の制御基板に接続する電気的配線処理構造の弾球遊技機。
　
　相違点
　（Ａ）ガラス板保持枠の裏面に蛍光管等から引き出される接続線を前面枠に開設した配線引き出し孔を介して枠台裏側の制御基板に接続する電気的配線処理構造に関して、本願補正発明では、接続線のコネクタがガラス板保持枠の裏面に形成された凹窪部底面の開口に臨むようにして配置され、当該コネクタに、制御基板から引き出される接続線を前面枠の前側へ引き出すと共にその先端のコネクタを継ぐコネクタ利用の接続手段によるのに対し、引用発明１では、コネクタ利用の接続手段ではない点。
　（Ｂ）本願補正発明では、前面枠裏面の配線引き出し孔の近傍には常に接続線を前記前面枠の裏側へ付勢するうず巻きバネを取着したのに対し、引用発明１では、そのような構成を備えていない点。　
　
　そこで、上記相違点について検討する。
　相違点（Ａ）について　　
　引用発明２には、ガラス板保持枠と同様に前枠に開閉可能に取り付けられた、開閉パネル４１の前後に配置する電気部品と遊技盤載置台９の裏面側に配設した制御装置との電気的配線処理構造として、開閉パネル４１の裏面に当該電気部品から延びるリード線２３の先端の第１部材２６を開閉パネル４１に開設した取付口２９に装着し、当該第１部材２６に、遊技盤載置台９の裏面側に配設した制御装置から延びるリード線２３の先端の第２部材２７を、遊技盤載置台９に開設した配線通過口５０を介して接続する電気的配線構造が示され、当該第１部材２６、第２部材２７は、本願補正発明におけるコネクタに対応するものであるから、本願補正発明と同様のコネクタ利用の接続手段が示されている。また、コネクタの装着手段として、凹窪部底面の開口に臨むように配置することが、例えば引用発明３に示された「一方のコネクタ（２２ａ）」及び引用発明４に示された「雌型コネクタ１１」のように弾球遊技機の分野において周知の装着手段である。
　してみれば、引用発明２に示された配線処理技術を引用発明１の接続線に適用する際に、コネクタの配置として、凹窪部底面の開口に臨む配置との設計的変更を加えて、相違点（Ａ）に係る本願補正発明を特定する事項とすることは、当業者が容易になし得ることである。　
　相違点（Ｂ）について　　
　開閉する部材間を接続する配線に対し常に内側へ付勢するバネを取着する技術は、例えば、引用発明５に示された「電源コードを常時筐体内へ引込むように付勢する弾性手段」及び引用発明６に示された「リード線６のたるみを吸収するスプリング７」のように周知・慣用の技術であり、また、「うず巻きバネ」自体は広く一般に採用されているバネの種類にすぎないから、当該周知・慣用の技術を引用発明１の接続線に適用し、相違点（Ｂ）に係る本願補正発明を特定する事項とすることは、当業者が容易になし得たものである。
　　　
　また、効果においても、本願補正発明が格別の効果を奏するものとは認められない。
　
　したがって、本願補正発明は、引用発明１及び２、並びに周知・慣用の技術に基づいて、当業者が容易に発明をすることができたものであるから、特許法第２９条第２項の規定により特許出願の際独立して特許を受けることができないものである。
　
　（う）むすび
　以上のとおり、本件補正は、平成６年改正前特許法第１７条の２第４項において読み替えて準用する同法第１２６条第３項の規定に違反するので、特許法第１５９条第１項において読み替えて準用する特許法第５３条第１項の規定により却下すべきものである。
　
第三、本願発明について
　平成１５年１２月２２日付けの手続き補正は上記のとおり却下されたので、本願の請求項１に係る発明は、上記平成１５年８月１１日付けで補正された明細書の記載からみて、その特許請求の範囲の請求項１に記載された次のとおりのものである。
　「遊技盤が固定される前面枠を機枠の前面に取付けた枠台と、前記前面枠の一側に該前面枠の前面を覆うよう開閉可能に軸支されるガラス板保持枠とを有し、前記ガラス板保持枠には装飾用の蛍光管等を装着した弾球遊技機であって、前記ガラス板保持枠の裏面に前記蛍光管等から引き出される接続線のコネクタを配置し、一方前記前面枠に配線引き出し孔を開設し、前記枠台裏側の制御基板などから引き出される接続線を前記配線引き出し孔を介して前記前面枠の前側へ引き出すと共にその先端のコネクタを前記ガラス板保持枠側のコネクタに継ぎ、また、前記前面枠裏面の配線引き出し孔の近傍には常に前記接続線を前記前面枠の裏側へ付勢するうず巻きバネを取着したことを特徴とする弾球遊技機。」（以下、「本願発明」という）
　
　（あ）引用刊行物に記載された発明
　原査定の拒絶理由通知に引用された刊行物及び本願出願前に頒布された刊行物に記載された事項は前記「第二、（２）（あ）」に記載したとおりである。
　
　（い）本願発明と引用発明との対比・判断
　本願補正発明は、本願発明を特定するために必要な事項である「接続線のコネクタを配置し」を「接続線のコネクタを該ガラス板保持枠の裏面に形成された凹窪部底面の開口に臨むようにして配置し」に限定し、また「制御基板などから引き出される接続線」を「制御基板から引き出される接続線」に補正したものである。
　そうすると、本願発明の発明特定事項を全て含み、さらに他の発明特定事項を付加したものに相当する本願補正発明が、前記「第二、（２）（い）」に記載したとおり、引用発明１及び２、並びに周知・慣用の技術に基づいて、当業者が容易に発明をすることができたものであるから、本願発明も、同様の理由により、引用発明１及び２、並びに周知・慣用の技術に基づいて、当業者が容易に発明をすることができたものである。
　
　（う）むすび
　以上のとおり、本願発明は、引用発明１及び２、並びに周知・慣用の技術に基づいて、当業者が容易に発明をすることができたものであるから、特許法第２９条第２項の規定により特許を受けることができないものであり、本願は拒絶すべきものである。
　よって、結論のとおり審決する。